(57)【要約】【課題】第１の表示装置の表示部に表示できなかった画像領域における所望の領域を感覚的に表示させることができる画像表示システムを提供する。【解決手段】本発明の画像表示システムは、第１の通信部１５０を有し、画像情報の一部を表示する第１の表示装置１００と、第１の通信部１５０との間で通信を実現する第２の通信部２６０を有し、第１の表示装置１００で表示できなかった画像情報を表示し、可搬性を有する第２の表示装置２００と、第１の表示装置１００に対する第２の表示装置２００の位置を検出する位置検出部と、画像情報の一部を第１の表示装置１００に表示させ、且つ位置検出部が検出した第２の表示装置２００の位置情報に基づいて、第２の表示装置２００に表示させる画像領域を抽出し、抽出した画像領域を第２の表示装置２００に表示させる制御部１３０と、を備える。【選択図】図２
2011248204.tif 000002
【特許請求の範囲】
【請求項１】
画像情報を格納する記憶部と、
第１の通信部を有し、前記画像情報の一部を表示する第１の表示装置と、
前記第１の通信部との間で通信を実現する第２の通信部を有し、前記第１の表示装置で表示できなかった画像情報を表示し、可搬性を有する第２の表示装置と、
前記第１の表示装置に対する前記第２の表示装置の位置を検出する位置検出部と、
前記画像情報の一部を前記第１の表示装置に表示させ、且つ前記位置検出部が検出した前記第２の表示装置の位置情報に基づいて、前記第２の表示装置に表示させる画像領域を抽出し、抽出した画像領域を前記第２の表示装置に表示させる制御部と、
を備える画像表示システム。
【請求項２】
前記制御部は、前記第２の表示装置の位置情報を、前記画像情報に与えられた座標情報に対応するように座標変換し、この変換した座標情報に基づいて、前記第２の表示装置に表示させる画像領域を抽出することを特徴とする請求項１に記載の画像表示システム。
【請求項３】
前記位置検出部は、
前記第１又は第２の表示装置の一方に搭載された測距センサと、
他方に搭載された、前記測距センサの出射光を検出する光センサと、
前記測距センサからの情報に基づいて、前記第１の表示装置から前記第２の表示装置までの距離を算出し、前記光センサからの情報に基づいて、前記第１の表示装置に対する前記第２の表示装置の配置角度を算出する算出部と、
を備えることを特徴とする請求項１又は２に記載の画像表示システム。
【請求項４】
前記位置検出部は、前記第２の表示装置に搭載されており、前記画像情報に与えられた所定の座標位置からの前記第２の表示装置の二次元の移動距離を検出する移動距離検出センサを備え、
前記制御部は、前記移動距離検出センサが検出した前記第２の表示装置の二次元の移動距離に基づいて、前記第２の表示装置に表示させる画像領域を抽出することを特徴とする請求項１に記載の画像表示システム。
【請求項５】
前記第２の表示装置は、操作部と表示部とを備える携帯情報端末であって、
前記携帯情報端末は、操作モードと表示モードとを備えており、
前記携帯情報端末の操作モード時には、前記操作部の操作に基づいて前記第１の表示装置を制御し、
前記携帯情報端末の表示モード時には、前記抽出された画像領域を前記表示部に表示することを特徴とする請求項１乃至４のいずれか１項に記載の画像表示システム。
【請求項６】
第１の表示装置に対する第２の表示装置の位置情報を検出する工程と、
前記第１の表示装置に画像情報の一部を表示する工程と、
前記第２の表示装置の位置情報を、前記画像情報に与えられた座標情報に対応するように座標変換し、この変換した座標情報に基づいて、前記第２の表示装置に表示させる画像領域を抽出し、抽出した画像領域を前記第２の表示装置に表示する工程と、
を備える画像表示方法。
【発明の詳細な説明】
【技術分野】
【０００１】
本発明は、画像表示システム及び画像表示方法に関する。
【背景技術】
【０００２】
画像表示システムは、画像の容量が大きいため、表示部に当該画像の全てを表示することができない場合がある。この場合、表示することができなかった画像領域は、例えば表示部に表示されているスクロールを操作者がマウス等で操作することで、表示部に表示される。
【０００３】
ところで、特許文献１及び２には、画像表示装置を移動させた際の位置情報を加速度センサの検出結果に基づいて算出し、算出した当該位置情報に基づいて、画像を拡大して表示する画像表示システムが開示されている。
【０００４】
特許文献３には、第１の表示装置と第２の表示装置との位置関係を角度センサや距離センサを用いて検出し、当該位置関係に基づいて第２の表示装置に表示させる画像を調整する画像表示システムが開示されている。
【先行技術文献】
【特許文献】
【０００５】
【特許文献１】特開２００２−７０２７号公報
【特許文献２】特開２００８−７７６５５号公報
【特許文献３】特開平１１−８５１１７号公報
【発明の概要】
【発明が解決しようとする課題】
【０００６】
特許文献１及び２の画像表示システムは、第１の表示装置に表示できなかった画像領域を第２の表示装置に表示する技術的思想が開示されていない。
特許文献３の画像表示システムは、第２の表示装置に表示される画像が予め定まっており、第１の表示装置の表示部に表示できなかった画像領域における所望の領域を感覚的に表示させることができる構成でない。
【０００７】
本発明の目的は、上述した課題を解決する画像表示システム及び画像表示方法を提供することにある。
【課題を解決するための手段】
【０００８】
本発明に係る画像表示システムは、画像情報を格納する記憶部と、第１の通信部を有し、前記画像情報の一部を表示する第１の表示装置と、前記第１の通信部との間で通信を実現する第２の通信部を有し、前記第１の表示装置で表示できなかった画像情報を表示し、可搬性を有する第２の表示装置と、前記第１の表示装置に対する前記第２の表示装置の位置を検出する位置検出部と、前記画像情報の一部を前記第１の表示装置に表示させ、且つ前記位置検出部が検出した前記第２の表示装置の位置情報に基づいて、前記第２の表示装置に表示させる画像領域を抽出し、抽出した画像領域を前記第２の表示装置に表示させる制御部と、を備える。
【０００９】
本発明に係る画像表示方法は、第１の表示装置に対する第２の表示装置の位置情報を検出する工程と、前記第１の表示装置に画像情報の一部を表示する工程と、前記第２の表示装置の位置情報を、前記画像情報に与えられた座標情報に対応するように座標変換し、この変換した座標情報に基づいて、前記第２の表示装置に表示させる画像領域を抽出し、抽出した画像領域を前記第２の表示装置に表示する工程と、を備える。
【発明の効果】
【００１０】
本発明によれば、第１の表示装置の表示部に表示できなかった画像領域における所望の領域を感覚的に表示させることができる画像表示システム及び画像表示方法を提供することができる。
【図面の簡単な説明】
【００１１】
【図１】本発明の第１の実施の形態の画像表示システムを概略的に示す図である。
【図２】本発明の第１の実施の形態の画像表示システムを示すブロック図である。
【図３】第２の表示装置の位置情報の説明図である。
【図４】第１の表示装置に対する第２の表示装置の配置角度を算出するための説明図である。
【図５】測距センサの構成の説明図である。
【図６】本発明の第１の実施の形態の画像表示方法を示すフローチャート図である。
【図７】本発明の第２の実施の形態の画像表示システムを概略的に示す図である。
【発明を実施するための形態】
【００１２】
本発明の実施の形態に係る画像表示システム及び画像表示方法について説明する。但し、本発明が以下の実施の形態に限定される訳ではない。また、説明を明確にするため、以下の記載及び図面は、適宜、簡略化されている。
【００１３】
＜第１の実施の形態＞
本実施の形態の画像表示システムは、図１に示すように、第１の表示装置１００、第２の表示装置２００を備える。
【００１４】
第１の表示装置１００は、例えば画像表示装置である。第１の表示装置１００は、図２に示すように、表示部１１０、記憶部１２０、制御部１３０、光センサ１４０、通信部１５０を備える。これらの要素は、筐体内に格納されている。
【００１５】
表示部１１０は、例えば一般的な液晶ディスプレイ等を備える。記憶部１２０には、第１の表示装置１００の動作を司るプログラムや第１及び第２の表示装置１００、２００に表示させる画像情報などが格納される。
【００１６】
制御部１３０は、ＣＰＵ（Central Processing Unit）やＲＡＭ（Random Access Memory）などを備える演算処理部である。制御部１３０は、記憶部１２０からプログラムを読み出して、第１の表示装置１００を制御したり、例えば第２の表示装置２００の操作に基づいて記憶部１２０から画像情報を読み出して、第１の表示装置１００に当該画像情報を表示させたりする。このとき、制御部１３０は、一般的な画像表示装置と同様に、画像情報にディスプレイ座標系の情報（座標情報）を与える。そして、制御部１３０は、当該画像情報の座標情報に基づいて、表示部１１０に画像情報の一部を表示させる。これでは、第１の表示装置１００の表示部１１０に表示できなかった画像領域の他の領域を表示できないので、本発明の制御部１３０は、第２の表示装置２００から送信された当該第２の表示装置２００の位置情報に基づいて、第１の表示装置１００の表示部１１０に表示できなかった画像領域にも、当該表示部１１０に表示させる画像領域に与えた座標情報と連続するように、座標情報を与える。そして、制御部１３０は、第２の表示装置２００に表示させる画像領域を当該画像情報から抽出し、抽出した画像領域を第２の表示装置２００に表示させる。
【００１７】
具体的に云うと、制御部１３０には、光センサ１４０から受光情報が入力される。制御部１３０は、当該受光情報に基づいて、第１の表示装置１００に対する第２の表示装置２００の配置角度を算出する。つまり、本実施の形態の制御部１３０は、本発明で云う位置検出部における、第１の表示装置１００に対する第２の表示装置２００の配置角度を算出する算出部の機能を担う。
【００１８】
さらに制御部１３０には、第２の表示装置２００から第１の表示装置１００に対する当該第２の表示装置２００の距離情報が送信される。制御部１３０は、第１の表示装置１００に対する第２の表示装置２００の配置角度情報及び距離情報に基づいて、第２の表示装置２００の位置情報を算出する。ここで、制御部１３０は、例えばこれらの情報から第２の表示装置２００の表示部２１０の左下端の位置を第２の表示装置２００の位置情報として算出する。
【００１９】
制御部１３０は、第２の表示装置２００の位置情報を、画像情報に与えられた座標情報に対応するように座標変換し、この変換した座標情報に基づいて、第２の表示装置２００に表示させる画像領域を抽出する。制御部１３０は、抽出した画像領域を通信部１５０を介して第２の表示装置２００に送信する。すなわち、図３に示すように、例えば第１の表示装置１００の表示部１１０が２０ｉｎｃｈなら、長辺側の長さは１５．６２５ｉｎｃｈであり、よって、１ｉｎｃｈ≒８２ピクセルと計算できる。そのため、第１の表示装置１００の表示部１１０の左上端の座標は「ｘ、ｙ＝０，１０２４」となり、表示部１１０の右下端の座標は「ｘ、ｙ＝１２８０，０」となり、表示部１１０の右上端の座標は「ｘ、ｙ＝１２８０，１０２４」となる。このような座標系において、制御部１３０は、第１の表示装置１００に対する第２の表示装置２００の配置角度情報及び距離情報に基づいて、第１の表示装置１００に対して第２の表示装置２００が何ｉｎｃｈ離れているかを算出する。例えば、制御部１３０は、第１の表示装置１００に対して第２の表示装置２００がｘ軸方向に１０ｉｎｃｈ、ｙ軸方向に８ｉｎｃｈ離れていると算出する。これにより、制御部１３０は、第２の表示装置２００の表示部２１０の左下端の座標を「ｘ、ｙ＝１２８０+８２０，１０２４＋６５６」と算出することができる。
【００２０】
光センサ１４０は、第２の表示装置２００の測距センサ２５０と共に位置検出部を成す。光センサ１４０は、ＣＣＤ（Charge Coupled Device）やＣＭＯＳ（Complementary Metal-Oxide Semiconductor）等の撮像素子を備えた光センサである。光センサ１４０は、図４に示すように、第１の表示装置１００の左右の側部、及び上部に、測距センサ２５０の出射光を受光することができるように配置されている。光センサ１４０は、第２の表示装置２００の測距センサ２５０から出射光を受光すると、この受光情報を制御部１３０に出力する。制御部１３０は、当該受光情報に基づいて、第１の表示装置１００に対する第２の表示装置２００の配置角度を算出することができる。
【００２１】
通信部１５０は、第２の表示装置２００との通信を実現する通信手段である。通信方式は、有線通信方式又は無線通信方式のどちらでも良いが、第２の表示装置２００の可搬性を考慮すると、無線通信方式を採用することが好ましい。
【００２２】
第２の表示装置２００は、例えばＰＤＡ（Personal Digital Assistants）等の情報通信端末である。第２の表示装置２００は、表示部２１０、操作部２２０、記憶部２３０、制御部２４０、測距センサ２５０、通信部２６０を備える。これらの要素は、筐体内に格納されている。
【００２３】
表示部２１０は、例えば一般的な液晶ディスプレイ等を備える。操作部２２０は、表示部２１０と一体的に構成された所謂タッチパネル式の操作部であることが好ましい。但し、キーボード等の操作部でも良い。操作部２２０を操作者が操作することで、第１及び第２の表示装置１００、２００が操作される。例えば、表示部２１０（操作部２２０）には、第１の表示装置１００の記憶部１２０に格納されている画像情報の一覧が表示される。操作者は、操作部２２０を操作することで、当該一覧から第１及び第２の表示装置１００、２００に表示させる画像情報を選択する。操作部２２０は、このような操作情報を制御部２４０に出力する。記憶部２３０には、第２の表示装置２００の動作を司るプログラムなどが格納される。
【００２４】
制御部２４０は、ＣＰＵ（Central Processing Unit）やＲＡＭ（Random Access Memory）などを備える演算処理部である。制御部２４０には、測距センサ２５０から検出情報が入力される。制御部２４０は、記憶部２３０からプログラムを読み出して、第２の表示装置２００を制御したり、測距センサ２５０からの受光情報に基づいて第１の表示装置１００に対する第２の表示装置２００の距離情報を算出し、通信部１５０、２６０を介して第１の表示装置１００に送信したりする。
【００２５】
測距センサ２５０としては、例えば三角測量法を用いて対象物までの距離を測定する測距センサを用いることができる。すなわち、測距センサ２５０は、図５（ａ）、（ｂ）に示すように、光源であるＬＥＤ２５１、光センサ２５２を備える。測距センサ２５０のＬＥＤ２５１が発光すると、第１の表示装置１００に当たった反射光を光センサ２５２に受光させる。光センサ２５２は、複数の撮像素子を備え、さらにスリットが設けられており、測距センサ２５０と第１の表示装置１００の距離が異なると、光センサ２５２の撮像素子に当たる位置が異なるため、それによって距離を測定することが可能となる。但し、測距センサ２５０の構成は、この限りでなく、公知の測距センサを用いることができる。測距センサ２５０は、受光情報を制御部２４０に出力する。
通信部２６０は、第１の表示装置１００との通信を実現する通信手段である。
【００２６】
このような構成の画像表示システムを用いて、図６に示すように画像表示方法が実現される。
操作者は、第２の表示装置２００の操作部２２０を操作して、第１及び第２の表示装置１００、２００に表示させる画像情報を選択する。そして、操作者は、第１の表示装置１００の表示部１１０に表示できなかった画像情報のうち、第２の表示装置２００の表示部２１０に表示させたい画像領域を表示させるべく、第２の表示装置２００を移動させる（Ｓ１）。このとき、第２の表示装置２００の測距センサ２５０は、第１の表示装置１００に対する第２の表示装置２００の距離を測定するべく、ＬＥＤ２５１から光が出射される（Ｓ２）。第１の表示装置１００の光センサ１４０は、当該測距センサ２５０からの出射光を受光し、その受光情報を制御部１３０に出力する。制御部１３０は、当該受光情報から第１の表示装置１００に対する第２の表示装置２００の配置角度を算出する（Ｓ３）。
【００２７】
一方、第２の表示装置２００の測距センサ２５０は、ＬＥＤ２５１の出射光を光センサ２５２に受光し、その受光情報を制御部２４０に出力する。制御部２４０は、当該受光情報に基づいて、第１の表示装置１００に対する第２の表示装置２００の距離を算出し、通信部１５０、２６０を介して第１の表示装置１００の制御部１３０に送信する（Ｓ４）。
【００２８】
第１の表示装置１００の制御部１３０は、第１の表示装置１００に対する第２の表示装置２００の配置角度情報及び距離情報から当該第２の表示装置２００の位置情報を算出し、第２の表示装置２００の位置情報を画像情報に与えられた座標情報に対応するように座標変換し、この変換した座標情報に基づいて、第２の表示装置２００に表示させる画像領域を抽出する（Ｓ５）。制御部１３０は、抽出した画像領域を通信部１５０、２６０を介して第２の表示装置２００の制御部２４０に送信する（Ｓ６）。
第２の表示装置２００の制御部２４０は、表示部２１０に当該抽出された画像情報を表示する（Ｓ７）。
【００２９】
上述の画像表示システム及び画像表示方法によれば、操作者の第２の表示装置２００の移動に伴って、第１の表示装置１００の表示部１１０に表示できなかった画像領域における所望の領域を感覚的に表示させることができる。
これにより、当該画像表示システム及び画像表示方法によれば、ユーザインタフェースの向上、及び秘匿性の高いマルチディスプレイの実現を果たすことができる。
【００３０】
つまり、一般的に画像情報を表示する際には、表示装置の画面に入りきらない画像情報の一部はカットされており、そこを表示するには画像情報を縮小表示するか、スクロールして画面上に移動させて表示される。それに対して、当該画像表示システム及び画像表示方法においては、第２の表示装置に画像情報の一部を表示させることにより、メニュー操作をすることなくユーザが感覚的に分かりやすい方法で所望の画像情報の一部を表示させることができる。
【００３１】
また、一般的なマルチディスプレイはメインディスプレイと同様のディスプレイを設置していたが、これだと例えばメールなど不特定多数の人間に見られたくない情報を常時表示させておくのを敬遠するユーザがいた。それに対して、本実施の形態では、第２の表示装置に表示させたい画像領域に合わせて当該第２の表示装置を移動させるので、覗き込みの防止になる。
【００３２】
なお、第２の表示装置２００を携帯情報端末で構成する場合、操作モードと表示モードとを操作部２２０の操作に基づいて、選択可能な構成とすることが好ましい。すなわち、第２の表示装置２００は、操作モード時には、操作部２２０の操作に基づいて第１及び第２の表示装置１００、２００を制御（操作）する。一方、第２の表示装置２００は、表示モード時には、抽出された画像領域を表示部２１０に表示する。
【００３３】
＜第２の実施形態＞
第１の実施の形態では、光センサ１４０及び測距センサ２５０を用いて第１の表示装置１００に対する第２の表示装置２００の位置情報を算出したが、この限りでない。
すなわち、図７に示すように、第２の表示装置２００は、ボール式や光学式のマウス等の二次元の移動距離を検出する移動距離検出センサ２７０を備える。移動距離検出センサ２７０は、検出した移動距離情報を制御部２４０に出力する。制御部２４０は、通信部１５０、２６０を介して第１の表示装置１００の制御部１３０に送信する。制御部１３０は、当該移動距離情報に基づいて、例えば表示部１１０の左下端からの第２の表示装置２００の表示部２１０の左下端の位置情報を算出する。制御部１３０は、この位置情報に基づいて、第２の表示装置２００に表示させる画像領域を抽出する。その他の動作は、第１の実施の形態の画像表示システムと同様である。これにより、本実施の形態の画像表示システムも、第１の実施の形態の画像表示システムと同様の効果を享受することができる。
【００３４】
本発明は上記実施の形態に限られたものではなく、趣旨を逸脱しない範囲で適宜変更することが可能である。
上記実施の形態では、第１及び第２の表示装置に表示させる画像情報が第１の表示装置１００の記憶部１２０に格納されているが、第２の表示装置２００の記憶部２３０に格納されていても良い。
【００３５】
上記実施の形態では、第１の表示装置１００の制御部１３０が第１の表示装置１００に対する第２の表示装置２００の位置情報を算出しているが、第２の表示装置２００の制御部２４０が算出しても良い。
【００３６】
上記実施の形態では、光センサ１４０及び測距センサ２５０を用いて第１の表示装置１００に対する第２の表示装置２００の位置情報を算出しているが、レーザーレンジセンサなどの測距センサを用いて算出しても良く、さらにマルチビジョンなどの画像取得部を用いて取得した画像に基づいて算出しても良い。
【符号の説明】
【００３７】
１００  第１の表示装置
１１０  表示部
１２０  記憶部
１３０  制御部
１４０  光センサ
１５０  通信部
２００  第２の表示装置
２１０  表示部
２２０  操作部
２３０  記憶部
２４０  制御部
２５０  測距センサ、２５１  ＬＥＤ、２５２  光センサ
２６０  通信部
２７０  移動距離検出センサ
【図２】
2011248204.tif 000003
【図３】
2011248204.tif 000004
【図４】
2011248204.tif 000005
【図５】
2011248204.tif 000006
【図６】
2011248204.tif 000007
【図７】
2011248204.tif 000008
【図１】
2011248204.tif 000009